(57)【特許請求の範囲】
【請求項１】
座クッションの下部に位置する受台と、該受台に軸により回動可能に支持された背フレームと、該背フレームの後部に固設され上部に背クッションを有する背支柱とを備えた椅子において、前記受台内に前端が支持されたバネを前後方向に設け、その後端に索条の一端を連結して前記受台内に回転可能に支承された索条ガイド輪に沿って該索条の方向を変換するとともに索条の他端は受台を貫通してその外側の前記背フレームに固定する索条止めを有することを特徴とする椅子の背部傾動装置。
【発明の詳細な説明】
【０００１】
【産業上の利用分野】
本発明は事務用椅子に係り、特に椅子の背部傾動装置に関する。
【０００２】
【従来の技術】
従来から事務用として用いられている椅子は背部に背もたれが付いていて、リクライニング（傾動）できるようになっている。
【０００３】
その傾動用椅子においては、例えば実開昭５９−１２５２６１号公報や特開平２−２２４６１７号公報に開示されているようにバネが用いられているが、これはバネが椅子の受台に取付られる際、その反力がスチールまたは樹脂等で成型されたリンクを介して間接的に背フレームに伝えられ、背にかかる荷重をサポートするという構造になっている。
【０００４】
【発明が解決しようとする課題】
しかしながらこのような構造では、バネとリンクの配置が受台のサイズや背の傾動する角度等によって大きく制約されるため、バネ反力を十分引き出せるリンクの配置ができず、バネ定数の大きなバネを使わなければならなかった。
【０００５】
そしてそれに見合った各パーツ強度を確保するためには重量やパーツ点数の増加、コストアップにつながるという問題点がある。
【０００６】
また、受台のスペースには限界があるため、あまり自由長の長いバネを使用することができず、バネ感の強い座り心地の悪い椅子になってしまうことが多かった。
【０００７】
本発明はこれに鑑み、パネの選択を容易としてバネ感のない自然な座り心地を得ることができるようにした椅子の背部傾動装置を提供して従来技術の欠点の解消を図ることを目的としたものである。
【０００８】
【課題を解決するための手段】
上記目的を達成するため本発明は、座クッションの下部に位置する受台と、該受台に軸により回動可能に支持された背フレームと、該背フレームの後部に固設され上部に背クッションを有する背支柱とを備えた椅子において、前記受台内に前端が支持されたバネを前後方向に設け、その後端に索条の一端を連結して前記受台内に回転可能に支承された索条ガイド輪に沿って該索条の方向を変換するとともに索条の他端は受台を貫通してその外側の前記背フレームに固定する索条止めを有することを特徴とする。
【０００９】
【作用】
上記構成によれば、バネの反力を直接背フレームに伝達することができるので比較的定数の小さいバネを用いることができる。
【００１０】
【実施例】
以下、本発明の実施例を添付図面を参照して説明する。
【００１１】
本発明にかかる椅子の背部傾動装置は、図１乃至図３に示すように、座クッション１の下部に位置する受台２と、該受台２に軸３により回動可能に支持された背フレーム４と、該背フレーム４の後部に固設され上部に背クッション５を有する背支柱６とを備えた椅子において、前記受台２内に前端が支持されたバネ７を前後方向に設け、その後端に索条８の一端を連結して前記受台２内に回転可能に支承された索条ガイド輪９に沿って該索条８の方向を変換するとともに索条８の他端は受台２を貫通してその外側の前記背フレーム４に固定する索条止め１０を有する。
【００１２】
前記受台２の底部にはガススプリング受け１１があって、ガススプリング１２が連結されており、このガススプリング１２の作動で受台２の高さを任意に調節できるようになっている。
【００１３】
前記バネ７の前端は受台２の前部の外側に回動操作自在に設けた調整ダイヤル１３のナット部１３ａに螺挿された調整ボルト１４に掛止され、この調整ボルト１４は図示しない回り止め手段により回り止めされていて、調整ダイヤル１３を回動することによりバネ７の張力を調整自在とされている。
【００１４】
前記受台２の後部には軸１５が固設されていて、この軸１５に前記索条ガイド輪９が回転可能に支承されている。
【００１５】
前記調整ボルト１４と一直線状に取り付けられたバネ７の後端にはワイヤ等の前記索条８の一端が取り付けられ、中間は索条止め１６を介して索条ガイド輪９の外周に沿ってほぼ直角方向に垂下され、他端は受台２の下面に設けられた穴２ａを貫通し、さらにその下側に位置する背フレーム４の下面に設けられた穴４ａをも貫通してその裏面において索条止め１０により固定されるようになっている。
【００１６】
前記背フレーム４は受台２に対し軸３を支点として上下方向に傾動可能に支持されており、これと一体の背支柱６の上部の背クッション５も受台２に対して前後方向に傾動できることになる。
【００１７】
図３中、１７は背フレーム受け、１８は座カバー取付け金具である。
【００１８】
つぎに作用を説明する。
【００１９】
図３において椅子の背クッション５に後傾する方向の力が加わると、背支柱６と一体となった背フレーム４は軸３を支点として回転するので、背フレーム４に固定された索条止め１０が下方に引張られる。これにより索条８が引かれるので背クッション５にかかる力に応じた長さ分バネ７が伸ばされ、図４に示す後傾状態が得られる。
【００２０】
その際、背クッション５のバネ感（堅さ、または柔らさ）を調整するには調整ダイヤル１３を回して調整ボルト１４を引くかまたは押し込むことにより行えるため、バネ７の伸びを変化させることにより背反力を変化させることができる。
【００２１】
また、図４から図３の状態に戻す、つまり背クッション５にか加わっていた力がなくなった急激な戻りに対しては、索条８が索条ガイド輪９から外れないように公知の手段により防止することができる。
【００２２】
なお、実施例においては索条８をワイヤとした場合について示したが、これをチェンとし、ガイド輪９をスプロケットとしてもよく、またベルトとプーリーとしてもよい。またバネを引張りバネの場合で説明したが、圧縮バネを用い、圧縮時に索条を引くように連結しても上記引張りバネと同様の作用を奏することはいうまでもない。
【００２３】
【発明の効果】
本発明は以上説明したように、座クッションの下部に位置する受台と、該受台に軸により回動可能に支持された背フレームと、該背フレームの後部に固設され上部に背クッションを有する背支柱とを備えた椅子において、前記受台内に前端が支持されたバネを前後方向に設け、その後端に索条の一端を連結して前記受台内に回転可能に支承された索条ガイド輪に沿って該索条の方向を変換するとともに索条の他端は受台を貫通してその外側の前記背フレームに固定する索条止めを設けた構成としたことにより、背支柱の傾動角の如何にかかわらずバネの伸縮する方向が変ることがなく、常にバネの力をスムーズに作用させることができ、これによりバネ感のよい座り心地を与えることができる。
【００２４】
また従来のようにバネと背フレームとをリンクを介して連結するもののように、リンクの変位によりバネの力が変化してしまうことがないので、バネ常数の大きいバネを用いずともよく、これによってもバネ感のよい椅子とすることができる。
【００２５】
さらにバネと背フレームとの連結が索条のみとなるので、その設置のためのスペースが小さくてすみ、受台を小型にできるとともに部品点数が少ないので組立も容易になる。そしてバネ圧調整用のダイヤルの設置位置が自由に選択できるので、設計上の自由度が増し、デザイン上も有利となるなどの効果ある。
【図面の簡単な説明】
【図１】本発明による椅子の背部傾動装置の一実施例を示す斜視図。
【図２】図１の平面図。
【図３】図２の前傾時のＡ−Ａ断面図。
【図４】図２の後傾時のＡ−Ａ断面図。
【符号の説明】
１  座クッション
２  受台
２ａ  穴
３  軸
４  背フレーム
４ａ  穴
５  背クッション
６  背支柱
７  バネ
８  索条
９  索条ガイド外輪
１０  索条止め
【図１】
0003652401.tif 000002
【図２】
0003652401.tif 000003
【図３】
0003652401.tif 000004
【図４】
0003652401.tif 000005